(57)【要約】【課題】  フレキシブル基板の破損を防止できると共に、コンパクトであるフレキシブル基板用コネクタを提供する。【解決手段】  コネクタハウジング１１は、ハウジング上部１１Ｕから延在し、挿入されたフレキシブル基板２００のカバーレイ２０３に接して変位を規制するストレート延在部１３と、ストレート延在部１３から延在し、ストレート延在部１３から遠ざかるにつれてカバーレイ２０３から曲線状に離間していく曲面延在部１４とを含んでいる。【選択図】  図４
2011159524.tif 000002
【特許請求の範囲】
【請求項１】
接続対象に搭載され、当該搭載面に平行な挿抜方向に延びた挿入孔にフレキシブル基板が抜去可能に挿入されるコネクタハウジングと、前記コネクタハウジングに組み込まれ、前記挿入孔に挿入されたフレキシブル基板を接続対象に電気的に接続する端子とを有し、前記コネクタハウジングは、前記搭載面を含むハウジング下部と、前記挿入孔を挟んで前記ハウジング下部に対向するハウジング上部とを含むフレキシブル基板用コネクタであって、
フレキシブル基板として、一方の板面が、先端領域において配線が露出していると共に、残部にはカバーレイが貼り付けられているものに適用されるフレキシブル基板用コネクタおいて、
前記コネクタハウジングは、
前記ハウジング上部から前記挿抜方向に延在し、配線が露出した板面が該ハウジング上部を向くように前記挿入孔に挿入されたフレキシブル基板のカバーレイに接して変位を規制するストレート延在部と、
前記ストレート延在部から前記挿抜方向に延在し、該ストレート延在部から遠ざかるにつれてカバーレイから曲線状に離間していく曲面延在部とをさらに含んでいることを特徴とするフレキシブル基板用コネクタ。
【請求項２】
前記端子部は、前記挿入孔に挿入されたフレキシブル基板の露出した配線を押圧し、
前記ハウジング下部は、少なくとも前記端子にフレキシブル基板を介して対向する位置を含んで前記挿抜方向において延在している請求項１に記載のフレキシブル基板用コネクタ。
【請求項３】
前記ハウジング下部は、前記挿抜方向において、前記ストレート延在部および前記曲面延在部には対向しない位置で終端している請求項１または２に記載のフレキシブル基板用コネクタ。
【請求項４】
前記曲面延在部は、その全体がカバーレイから徐々に離間する向きに曲がった形状を呈する請求項１乃至３のいずれか一項に記載のフレキシブル基板用コネクタ。
【請求項５】
請求項１乃至４のいずれか一項に記載のフレキシブル基板用コネクタと、接続対象と、前記フレキシブル基板と、該フレキシブル基板の前記先端と反対側の他端に電気的に接続された第２の接続対象とを有し、
前記接続対象と前記第２の接続対象とは、前記フレキシブル基板および前記フレキシブル基板用コネクタを介して切断可能に電気的に接続されることを特徴とする電子機器。
【発明の詳細な説明】
【技術分野】
【０００１】
本発明は、プリント基板（ＰＣＢ）等の接続対象に搭載され、フレキシブル基板（ＦＰＣ）が搭載面に平行な方向に挿抜されると共に、挿入されたフレキシブル基板を接続対象に電気的に接続するフレキシブル基板用コネクタに関する。
【背景技術】
【０００２】
図１を参照すると、この種のフレキシブル基板用コネクタの一例であるフレキシブル基板用コネクタ６０は、接続対象としてのプリント基板（ＰＣＢ）１００に搭載され、その搭載面に平行な挿抜方向（図中、左右方向）に延びた挿入孔６２に図示しないフレキシブル基板（ＦＰＣ）が挿抜されるコネクタハウジング６１と、コネクタハウジング６１に組み込まれ、コネクタハウジング６１に挿入されたフレキシブル基板をプリント基板１００に電気的に接続する端子７１とを有している。
【０００３】
尚、フレキシブル基板は、一方の板面が、先端領域において配線が露出していると共に、残部にはカバーレイと呼ばれる保護シートが貼り付けられている。
【０００４】
コネクタハウジング６１は、搭載面を含むハウジング下部６１Ｌと、ハウジング上部６１Ｕとを含んでいる。フレキシブル基板の挿抜方向（図中、左右方向）において、ハウジング上部６１Ｕは端子７１の近傍で終端しており、ハウジング下部６１Ｌも同位置で終端している。
【０００５】
このため、図１に示されたフレキシブル基板用コネクタにおいては、挿入されたフレキシブル基板が上方に向かって撓んだ際に、コネクタハウジング６１、特にハウジング上部６１Ｕのエッジに当接し、ストレスが加わり、フレキシブル基板が折れたり、切断して配線が断線する虞がある。
【０００６】
その対策として、例えば、図２に示されるように、端子９１が接触する配線近傍を含むある程度の範囲に亘ってフレキシブル基板を平坦に保持すべく、挿入孔８２を図１のものよりも深く形成、即ち、コネクタハウジンング８１のハウジング下部８１Ｌおよびハウジング上部８１Ｕが挿抜方向に延長された形状にしたフレキシブル基板用コネクタ８０が考えられる。
【先行技術文献】
【特許文献】
【０００７】
【特許文献１】特開２００４−０２２４１４号公報
【特許文献２】特開２００６−１８５７０３号公報
【発明の概要】
【発明が解決しようとする課題】
【０００８】
しかし、図２に示されたフレキシブル基板用コネクタは、接続対象であるプリント基板１００上において、かなり広い搭載面積を必要とし、その結果、このフレキシブル基板用コネクタを適用した電子機器の高密度実装を妨げるという問題がある。
【０００９】
尚、特許文献１、２に開示された技術は、コネクタハウジングにおけるフレキシブル基板の挿入口の縁部にＣ面取が形成されているに過ぎない。
【００１０】
それ故、本発明の課題は、フレキシブル基板の破損を防止できると共に、コンパクトであるフレキシブル基板用コネクタを提供することである。
【００１１】
本発明の他の課題は、上記のようなフレキシブル基板用コネクタを有する電子機器を提供することである。
【課題を解決するための手段】
【００１２】
本発明によれば、接続対象に搭載され、当該搭載面に平行な挿抜方向に延びた挿入孔にフレキシブル基板が抜去可能に挿入されるコネクタハウジングと、前記コネクタハウジングに組み込まれ、前記挿入孔に挿入されたフレキシブル基板を接続対象に電気的に接続する端子とを有し、前記コネクタハウジングは、前記搭載面を含むハウジング下部と、前記挿入孔を挟んで前記ハウジング下部に対向するハウジング上部とを含むフレキシブル基板用コネクタであって、フレキシブル基板として、一方の板面が、先端領域において配線が露出していると共に、残部にはカバーレイが貼り付けられているものに適用されるフレキシブル基板用コネクタおいて、前記コネクタハウジングは、前記ハウジング上部から前記挿抜方向に延在し、配線が露出した板面が該ハウジング上部を向くように前記挿入孔に挿入されたフレキシブル基板のカバーレイに接して変位を規制するストレート延在部と、前記ストレート延在部から前記挿抜方向に延在し、該ストレート延在部から遠ざかるにつれてカバーレイから曲線状に離間していく曲面延在部とをさらに含んでいることを特徴とするフレキシブル基板用コネクタが得られる。
【００１３】
前記端子部は、前記挿入孔に挿入されたフレキシブル基板の露出した配線を押圧し、前記ハウジング下部は、少なくとも前記端子にフレキシブル基板を介して対向する位置を含んで前記挿抜方向において延在していてもよい。
【００１４】
前記ハウジング下部は、前記挿抜方向において、前記ストレート延在部および前記曲面延在部には対向しない位置で終端している前記フレキシブル基板用コネクタ。
【００１５】
前記曲面延在部は、その全体がカバーレイから徐々に離間する向きに曲がった形状を呈していてもよい。
【００１６】
本発明によれば、前記フレキシブル基板用コネクタと、接続対象と、前記フレキシブル基板と、該フレキシブル基板の前記先端と反対側の他端に電気的に接続された第２の接続対象とを有し、前記接続対象と前記第２の接続対象とは、前記フレキシブル基板および前記フレキシブル基板用コネクタを介して切断可能に電気的に接続されることを特徴とする電子機器が得られる。
【発明の効果】
【００１７】
本発明によるフレキシブル基板用コネクタは、フレキシブル基板の破損を防止できると共に、コンパクトである。
【図面の簡単な説明】
【００１８】
【図１】本発明の関連技術によるフレキシブル基板用コネクタを示す断面図である。
【図２】本発明の他の関連技術によるフレキシブル基板用コネクタを示す断面図である。
【図３】本発明の実施例１によるフレキシブル基板用コネクタとフレキシブル基板とを示す上面図である。
【図４】図３に示されたフレキシブル基板用コネクタおよびフレキシブル基板の図３における切断線４−４に沿った断面図である。
【図５】本発明の実施例１によるフレキシブル基板用コネクタにフレキシブル基板が挿入された状態を示す断面図である。
【図６】図５に示されたフレキシブル基板用コネクタおよびフレキシブル基板において、さらにフレキシブル基板が曲がった状態を示す断面図である。
【図７】本発明の実施例２によるフレキシブル基板用コネクタを示す断面図である。
【発明を実施するための形態】
【００１９】
本発明によるフレキシブル基板用コネクタは、接続対象に搭載され、その搭載面に平行な挿抜方向に延びた挿入孔にフレキシブル基板が抜去可能に挿入されるコネクタハウジングと、コネクタハウジングに組み込まれ、挿入孔に挿入されたフレキシブル基板を接続対象に電気的に接続する端子とを有している。コネクタハウジングは、搭載面を含むハウジング下部と、挿入孔を挟んでハウジング下部に対向するハウジング上部とを含んでいる。本フレキシブル基板用コネクタは、フレキシブル基板として、一方の板面が、先端領域において配線が露出していると共に、残部にはカバーレイが貼り付けられているものに適用される。
【００２０】
本フレキシブル基板用コネクタにおいては特に、コネクタハウジングは、ハウジング上部から挿抜方向に延在し、配線が露出した板面がハウジング上部を向くように挿入孔に挿入されたフレキシブル基板のカバーレイに接して変位を規制するストレート延在部と、ストレート延在部から挿抜方向に延在し、ストレート延在部から遠ざかるにつれてカバーレイから曲線状に離間していく曲面延在部とをさらに含んでいる。
【００２１】
本フレキシブル基板用コネクタは、上記構成により、フレキシブル基板の破損を防止できると共に、コンパクトである。
【００２２】
即ち、本フレキシブル基板用コネクタは、そのストレート延在部によってフレキシブル基板の露出された配線付近をまっすぐな状態で保持し、フレキシブル基板を曲がり難くしている。さらに、曲面延在部により、本フレキシブル基板用コネクタは、仮に、フレキシブル基板が曲がってしまったとしても、フレキシブル基板が屈曲することがない。よって、フレキシブル基板の破損や配線の断線が起こり難い。
【００２３】
また、本フレキシブル基板用コネクタは、ハウジング下部が挿抜方向において短く終端しているため、接続対象上におけるハウジング下部の手前の領域に、電子部品を搭載可能である。よって、本フレキシブル基板用のコネクタが適用された電子機器の高密度実装を可能としている。
【実施例】
【００２４】
以下、図面を参照して、本発明によるフレキシブル基板用コネクタの実施例を説明する。
【００２５】
［実施例１］
図３および図４を参照すると、本発明の実施例１のフレキシブル基板用コネクタ１０は、樹脂から成るコネクタハウジング１１と、金属から成る端子２１とを有している。
【００２６】
コネクタハウジング１１は、接続対象としてのプリント基板（ＰＣＢ）１００に搭載され、その搭載面に平行な挿抜方向（図中、左右方向）に延びた挿入孔１２にフレキシブル基板（ＦＰＣ）２００が抜去可能に挿入される。
【００２７】
端子２１は、コネクタハウジング１１に組み込まれ、挿入孔１２に挿入されたフレキシブル基板２００をプリント基板１００に電気的に接続する。尚、図４中、符号２３はフレキシブル基板２００の配線２０２への接触部を示し、符号２２は、接続対象としてのプリント基板１００上に形成された配線パターン（図示せず）にハンダ付け等によって接続されるリード部を示している。
【００２８】
コネクタハウジング１１は、搭載面を含むハウジング下部１１Ｌと、挿入孔１２を挟んでハウジング下部１１Ｌに対向するハウジング上部１１Ｕとを含んでいる。
【００２９】
尚、フレキシブル基板２００は、折り曲げ可能なポリイミドなどの樹脂フィルムから成る基板２０１を有している。基板２０１の一方（図４中、上側面）の板面は、先端領域において銅箔等の屈曲に強い導電性の金属から成る配線２０２が露出していると共に、残部には折り曲げ可能なポリイミドなどの樹脂フィルム等から成るカバーレイ２０３が貼り付けられている。カバーレイ２０３は、配線２０２を保護、絶縁する。基板２０１の他方（図４中、下側面）の板面には、先端領域に樹脂から成る補強板２０４が貼り付けられている。補強板２０４は、フレキシブル基板２００の先端部の補強の他に、フレキシブル基板２００の厚さ寸法をコネクタハウジング１１における挿入孔１２の寸法に適合する厚さに調整する機能をもなす。尚、フレキシブル基板２００において、配線２０２の露出範囲、カバーレイ２０３の形成範囲、補強板２０４の貼り付け範囲は、フレキシブル基板用コネクタ２００の挿入孔１２内の寸法や、端子２１の接触部２３の位置等に対応した寸法となっている。
【００３０】
特に、本フレキシブル基板用コネクタ１０において、コネクタハウジング１１は、ストレート延在部１３と、曲面延在部１４とをさらに含んでいる。
【００３１】
ストレート延在部１３は、ハウジング上部１１Ｕから挿抜方向に延在し、配線２０２が露出した板面がハウジング上部１１Ｕを向くように挿入孔１２に挿入されたフレキシブル基板２００のカバーレイ２０３に接して変位を規制する。
【００３２】
曲面延在部１４は、ストレート延在部１３から挿抜方向に延在し、ストレート延在部１３から遠ざかるにつれてカバーレイ２０３から曲線状に離間していく。
【００３３】
端子２１は、挿入孔１２に挿入されたフレキシブル基板２００の露出した配線２０２を押圧する。
【００３４】
ハウジング下部１１Ｕは、少なくとも端子２１にフレキシブル基板２００を介して対向する位置を含んで挿抜方向において延在している。ハウジング下部１１Ｕはまた、挿抜方向において、ストレート延在部１３および曲面延在部１４には対向しない位置で終端している。
【００３５】
いま、図５に示されるように、フレキシブル基板用コネクタ１０の挿入孔１２内にフレキシブル基板２００が挿入されると、ハウジング下部１１Ｌがフレキシブル基板２００の補強板２０４を支持すると共に、端子２１の接触部２３が露出された配線２０２に接続し、また、ストレート延在部１３がカバーレイ２０３を図中上方に変位しないように規制する。よって、フレキシブル基板２００の露出された配線２０２付近がまっすぐな状態で保持され、フレキシブル基板が曲がり難い。
【００３６】
仮に、図６に示されるように、フレキシブル基板２００が曲がってしまったとしても、曲面延在部１４により、フレキシブル基板２００が屈曲することがない。よって、フレキシブル基板２００の破損や配線の断線が起こり難い。
【００３７】
また、本フレキシブル基板用コネクタ１０は、ハウジング下部１１Ｌが挿抜方向において短く終端しているため、接続対象であるプリント基板１００上におけるハウジング下部１１Ｌの手前の領域に、チップ部品１２０等の電子部品を搭載可能である。よって、本フレキシブル基板用のコネクタが適用された電子機器の高密度実装を可能としている。
【００３８】
［実施例２］
本発明の実施例２は、曲面延在部が特徴的な形状を呈している点で、実施例１と異なる。このため、実施例１と同一または同様の部分については、詳細な説明を省略する。
【００３９】
図７を参照すると、本発明の実施例２のフレキシブル基板用コネクタ３０は、樹脂から成るコネクタハウジング３１と、金属から成る端子４１とを有している。
【００４０】
コネクタハウジング３１は、接続対象としてのプリント基板（ＰＣＢ）１００に搭載され、その搭載面に平行な挿抜方向（図中、左右方向）に延びた挿入孔３２に図示しないフレキシブル基板（ＦＰＣ）が抜去可能に挿入される。
【００４１】
端子４１は、コネクタハウジング３１に組み込まれ、挿入孔３２に挿入されたフレキシブル基板をプリント基板１００に電気的に接続する。図７中、符号４３はフレキシブル基板の配線への接触部を示し、符号４２は、接続対象としてのプリント基板１００上に形成された配線パターン（図示せず）にハンダ付け等によって接続されるリード部を示している。
【００４２】
コネクタハウジング３１は、搭載面を含むハウジング下部３１Ｌと、挿入孔３２を挟んでハウジング下部３１Ｌに対向するハウジング上部３１Ｕとを含んでいる。
【００４３】
特に、本フレキシブル基板用コネクタ３０において、曲面延在部３４は、その肉厚全体がフレキシブル基板のカバーレイから徐々に離間する向きに曲がった形状を呈している。
【００４４】
［実施例３］
本発明によれば、図示はしないが、実施例１または２のような本発明によるフレキシブル基板用コネクタと、プリント基板等の接続対象と、フレキシブル基板と、フレキシブル基板の先端と反対側の他端に電気的に接続された第２のプリント基板等の第２の接続対象とを有し、接続対象と第２の接続対象とがフレキシブル基板およびフレキシブル基板用コネクタを介して切断可能に電気的に接続される電子機器が得られる。
【００４５】
この電子機器は、本発明によるフレキシブル基板用コネクタがフレキシブル基板の破損を防止できると共にコンパクトであるため、信頼性に優れていると共に、部品の高密度実装が可能であって機器としてもコンパクトである。
【００４６】
尚、本発明において、ハウジング下部およびハウジング上部というように、上下の概念に基づくような部位の名称を用いているが、ハウジング下部は接続対象への搭載面を含む基部的部位であり、ハウジング上部は挿入孔を介してハウジング下部に対向する末部的部位であればよく、よって、本発明におけるハウジング下部およびハウジング上部は、ハウジング上部が下側に、ハウジング下部が上側に配置されたり、また、上下の概念の範囲外の配置をとることも可能である。
【産業上の利用可能性】
【００４７】
以上、本発明の実施例について説明してきたが、本発明はこれら実施例に限定されるものではなく、本願特許請求の範囲に記載された技術範囲内であれば、種々の変形が可能であることは云うまでもない。
【符号の説明】
【００４８】
１０、３０    フレキシブル基板用コネクタ
１１、３１    コネクタハウジング
１１Ｌ、３１Ｌ  ハウジング下部
１１Ｕ、３１Ｕ  ハウジング上部
１２、３２    挿入孔
１３、３３    ストレート延在部
１４、３４    曲面延在部
２１、４１    端子
２２、４２    リード部
２３、４３    接触部
１００    プリント基板（ＰＣＢ）
２００    フレキシブル基板（ＦＰＣ）
２０１    基板
２０２    配線
２０３    カバーレイ
２０４    補強板
【図１】
2011159524.tif 000003
【図２】
2011159524.tif 000004
【図３】
2011159524.tif 000005
【図４】
2011159524.tif 000006
【図５】
2011159524.tif 000007
【図６】
2011159524.tif 000008
【図７】
2011159524.tif 000009